(57)【要約】【課題】揺動アームの可動範囲が広く、安定した反発力を得られ、さらに耐久性にも優れた背環を提供する。【解決手段】ランドセル本体の背当て部に取り付けられる基体２と、基体２に揺動自在に軸支され、上端部にランドセルの背負いベルトの一端側が連結される左右一対の揺動アーム３と、それぞれ板状の形態を有し、前記左右一対の揺動アームの基部３ａの間に互いに隙間４ｆを空けて配置され、揺動アーム３の揺動により押し潰されるように、あるいは波打つように弾力的に変形する左右一対のゴム状弾性体４とを備えているランドセルの背環１。ゴム状弾性体４はシリコーン系のゴムからなることが好ましい。【選択図】図１
2019005400.tif 000002
【特許請求の範囲】
【請求項１】
ランドセル本体の背当て部に取り付けられる基体と、
前記基体に揺動自在に軸支され、上端部にランドセルの背負いベルトの一端側が連結される左右一対の揺動アームと、
板状の形態を有し、前記左右一対の揺動アームの基部の間に配置され、揺動アームの揺動により弾力的に変形し、揺動に反発するゴム状弾性体とを備えているランドセルの背環。
【請求項２】
前記ゴム状弾性体が左右一対で構成され、かつ、隙間をあけて配置されている請求項１記載のランドセルの背環。
【請求項３】
前記ゴム状弾性体の弾力的な変形が、前記基体の内壁面によって所定の範囲に規制される厚さ方向の湾曲ないし屈曲を含む請求項１または２記載のランドセルの背環。
【請求項４】
前記基体が基板とその基板の前面に取り付けられる蓋材とからなり、
前記ゴム状弾性体が、前記基板と蓋材の間に渡された、ゴム状弾性体を貫通する支持軸によって支持されている請求項１から３のいずれかに記載のランドセルの背環。
【請求項５】
前記基体が縁部に立ち上がりを備えており、
前記ゴム状弾性体の下端が立ち上がりの内面と当接している請求項１から４のいずれかに記載のランドセルの背環。
【請求項６】
前記基体が前記基板と蓋材の間に渡される中間立ち上がり片を備えており、
前記ゴム状弾性体の上端が中間立ち上がり片の下面と当接している請求項１から５のいずれかに記載のランドセルの背環。
【請求項７】
前記揺動アームが揺動中心を中心とする円板状の基部と、その基部から半径方向外向きに突出する当接部とを備えており、
前記ゴム状弾性体が、基部の外周面に沿う凹円弧部と、前記当接部に向かって膨出する凸円弧部とを備えている請求項１から６のいずれかに記載のランドセルの背環。
【請求項８】
前記ゴム状弾性体がシリコーン系のゴムからなる請求項１から７のいずれかに記載のランドセルの背環。
【発明の詳細な説明】
【技術分野】
【０００１】
本発明は、ランドセル本体に背負いベルトを連結するための背環に関する。
【背景技術】
【０００２】
特許文献１には、ランドセル本体の背当て部に取り付けられる基体と、基体に揺動可能に軸支され、上端部にランドセルの背負いベルトの一端側が連結される揺動アームと、揺動アームの外向きの揺動によって圧縮され、揺動アームを内向きに付勢するゴム状弾性体とを備えたランドセルの背環が開示されている。
【先行技術文献】
【特許文献】
【０００３】
【特許文献１】実用新案登録第３２０３０４２号公報
【発明の概要】
【発明が解決しようとする課題】
【０００４】
ところで、特許文献１の背環は、ゴム状弾性体を圧縮変形させることで反発力を得ており、金属製の板バネのように材の弾性曲げにより反発力を得るものに比べて耐久性に優れている。
【０００５】
ただ、圧縮変形は、体積を維持した状態での変形となるため、変形できる量が自ずと限られる。また、曲げ変形に比べて僅かな変形で反発力が急激に増す（バネ係数が大きい）ことから、揺動アームの揺動範囲（可動範囲）の始めと終わりとで反発力に大きな差が生じていた。
【０００６】
そこで本発明は、揺動アームの可動範囲が広く、安定した反発力を得られ、さらに耐久性にも優れた背環の提供を目的とする。
【課題を解決するための手段】
【０００７】
この発明のランドセルの背環は、ランドセル本体１０の背当て部１０ａに取り付けられる基体２と、前記基体２に揺動自在に軸支され、上端部にランドセルの背負いベルト１１の一端側が連結される左右一対の揺動アーム３と、板状の形態を有し、前記左右一対の揺動アーム３の基部３ａの間に配置され、揺動アーム３の揺動により弾力的に変形し、揺動に反発するゴム状弾性体４とを備えていることを特徴とする。
【０００８】
なお、ここで「反発する」とは、ゴム状弾性体４が変形させられることで、揺動アーム３の揺動を許容しながらも、ゴム状弾性体４自身の元の形状に戻ろうとする復元性（弾性）により揺動アーム３を揺動前の元の位置に向かって付勢することを言う。
【０００９】
このような背環においては、前記ゴム状弾性体４が左右一対で構成され、かつ、隙間４ｆをあけて配置されているものが好ましい。また、前記ゴム状弾性体４の弾力的な変形が、前記基体２の内壁面によって規制される厚さ方向の湾曲ないし屈曲を含むものが好ましい。さらに前記基体２が、基板２１とその基板２１の前面に取り付けられる蓋材２２とからなり、前記ゴム状弾性体４が、前記基板２１と蓋材２２の間に渡された、ゴム状弾性体４を貫通する支持軸２２ａによって支持されているものが好ましい。
【００１０】
また、前記基体２が縁部に立ち上がり２２ｂを備えており、前記ゴム状弾性体４の下端が立ち上がり２２ｂの内面と当接しているものが好ましい。さらに前記基体２が前記基板２１と蓋材２２の間に渡される中間立ち上がり片２２ｊを備えており、前記ゴム状弾性体４の上端が中間立ち上がり片２２ｊの下面と当接しているものが好ましい。
【００１１】
前記揺動アーム３が揺動中心を中心とする円板状の基部３ａと、その基部３ａから半径方向外向きに突出する当接部３ｄとを備えており、前記ゴム状弾性体４が、基部３ａの外周面に沿う凹円弧部４ｃと、当接部３ｄに向かって膨出する凸円弧部４ｄとを備えているものが好ましい。
【００１２】
また、前記いずれの場合も、前記ゴム状弾性体４がシリコーン系のゴムからなるものが好ましい。
【発明の効果】
【００１３】
本発明のランドセルの背環は、背負いベルトの上端に連結される揺動アームが左右に揺動するので、ランドセルを背負うときに弾力的に拡がり、背負った後は弾力的に閉じるので、背負ったり外したりする動作が楽である。また、使用者が成長しても背中の大きさにフィットする。拡げた揺動アームを戻す弾性体として板状のゴム状弾性体を用いているので、広い範囲で弾性変形を担うことができ、部分的な変形が抑制される。そのため、繰り返し変形してもゴム状弾性体が損傷しにくく、耐久性が高い。
【００１４】
前記ゴム状弾性体が左右一対で構成され、かつ、隙間をあけて配置されている場合は、ゴム状弾性体が揺動アームによって中央側に加圧されて変形するとき、隙間の部分に逃げることができる。そのため、弾性変形による反発力が穏やかに増大し、使用者にとって肩ベルトの装着感が優れる。前記ゴム状弾性体の弾力的な変形が、前記基体の内壁面によって所定の範囲に規制される厚さ方向の湾曲ないし屈曲を含んでいれば、過度の部分的な変形が一層抑制されると共に、反発力が穏やかになり、背負いベルトの背負い動作および外し動作が一層容易になる。前記基体が基板とその基板の前面に取り付けられる蓋材とからなり、前記ゴム状弾性体が、前記基板と蓋材の間に渡された、ゴム状弾性体を貫通する支持軸によって支持されていれば、組み立て作業が容易であり、また、弾性変形しているゴム状弾性体が安定する。
【００１５】
前記基体が縁部に立ち上がりを備えており、前記ゴム状弾性体の下端が立ち上がりの内面と当接していれば、組み立て時および弾性変形後のゴム状弾性体の姿勢が安定する。また、前記基体が前記基板と蓋材の間に渡される中間立ち上がり片を備えており、前記ゴム状弾性体の上端が中間立ち上がりの下面と当接していれば、ゴム状弾性体の変形後の姿勢が安定する。
【００１６】
前記揺動アームが揺動中心を中心とする円板状の基部と、その基部から半径方向外向きに突出する当接部とを備えており、前記ゴム状弾性体が、基部の外周面に沿う凹円弧部と、前記当接部に向かって膨出する凸円弧部とを備えていれば、揺動アームとゴム状弾性体との不要な干渉を避けつつ、必要な当接を確実とし、揺動の初期段階から十分な反発力を発揮させることができる。そのため、揺動範囲の全域に亘って安定した反発力を得ることができる。
【００１７】
また、ゴム状弾性体がシリコーン系のゴムからなれば、耐候性に優れており、長期に亘って安定した反発力を発揮させることができる。
【図面の簡単な説明】
【００１８】
【図１】この発明の一実施形態に係るランドセルの背環を示す分解斜視図である。
【図２】基板の詳細を示しており、（ａ）はその内面側の正面図、（ｂ）は側面図である。
【図３】蓋材の詳細を示しており、（ａ）は蓋材の内側面の正面図、（ｂ）は（ａ）のＩＩＩ−ＩＩＩ線断面図、（ｃ）は揺動レバーおよびゴム状弾性体と共に示す蓋材の内側面の正面図である。
【図４】揺動アームの詳細を示しており、（ａ）は正面図、（ｂ）は右側面図である。
【図５】ゴム状弾性体の詳細を示しており、（ａ）は正面図、（ｂ）は右側面図、（ｃ）は平面図、（ｄ）は底面図である。
【図６】揺動アームとゴム状弾性体の当接状態を示しており、（ａ）は揺動前の正面図、（ｂ）は（ａ)のＶＩｂ−ＶＩｂ線断面図、（ｃ）、（ｄ）は揺動の前後における（ａ）のＶＩｃ−ＶＩｃ線断面図である。
【図７】ゴム状弾性体の他の実施形態を示す正面図である。
【図８】背環のランドセルへの取り付け状態を示す正面図である。
【発明を実施するための形態】
【００１９】
以下、この発明の実施形態を図面に基づいて詳細に説明する。図１は、この発明の一実施形態に係るランドセルの背環１を示している。この背環１は、図８に示すように、ランドセル本体１０の背当て部１０ａに取り付けられる基体２と、基体２に揺動自在に軸支され、上端部に背負いベルト１１の一端側が連結される左右一対の揺動アーム３、３と、基体２内に収容され、揺動アーム３の揺動に反発する左右一対のゴム状弾性体４、４とを備えている。揺動アーム３の上端部と背負いベルト１１の一端側とは、取付環５を介して連結されている。基体２には、ランドセル本体１０をフックなどに掛け止めるための吊り下げ環６が取り付けられている。図８において符号７は、基体２の上部を覆うカバーである。
【００２０】
基体２は、図１に示すように、ランドセル本体１０の背当て部１０ａ側に位置する板状の基板２１と、基板２１を覆う浅い箱状の蓋材２２とから構成されている。基板２１に蓋材２２を取り付けることにより、薄い箱状の基体２が得られる。基体２は前記揺動アーム３、３の下部およびゴム状弾性体４、４などを収容し、支持するケースである。
【００２１】
図２ａ、図２ｂに示すように、基板２１は、左右対称で、上端が上に凸の円弧状で、左右の側面から下面にかけて略Ｕ字状の輪郭を有する合成樹脂製の平板である。基板２１の下部には、蓋材２２に突設された支持軸２２ａ（図３ｂ参照）の孔と嵌合する嵌合ピン２１ａが左右一対で突設されている。
【００２２】
また、基板２１には、上方において揺動アーム３を揺動可能に軸支するための軸部２１ｂが設けられている。軸部２１ｂは円筒状であって、中心の貫通孔に蓋材２２から突出する嵌合突起２２ｄ（図３ａ参照）が嵌合できるようにしている。また、基板２１の中央部及び両端部には、基体１１をランドセル本体に取り付けるためのネジを通すネジ孔２１ｃ、２１ｄが設けられている。なお、両端部のネジ孔２１ｄの周囲は、後述する蓋材２２の突出部２２ｋ（図３ａ、ｂ参照）の穴に嵌合して位置決めするため、円筒状に前方に突出している。そしてネジ孔２１ｄの近辺は、基体２の内部の空間Ｓ(図６ｃ参照）を広くするため、基体２の側縁から左右に突出している。
【００２３】
蓋材２２は、図３ａ、図３ｂに示すように、上端が略円弧状で、左右の側面から下面にかけて略Ｕ字状を呈しており、基板２１と実質的に同じ輪郭形状を有する。但し、蓋材２２は縁部が立ち上がっており（立ち上がり２２ｂ）、図３ｃに示すように、基板２１に取り付けると、基板２１と蓋材２２の間に揺動アーム３やゴム状弾性体４、吊り下げ環６を収容可能な空間Ｓが形成されるようになっている。また、蓋材２２の前面下部は、図３ｂに示すように、緩やかに湾曲しながら後退している。そのため、下方にいくほど空間Ｓの深さが浅く、基体２の厚さが薄くなっている。これにより、図８のようにランドセル本体１０に取り付けたとき、背当て部１０ａとの段差が少なくなり、化粧用の皮革Ｃで滑らかに覆うことができる。
【００２４】
前記縁部の立ち上がり２２ｂは、基板２１の軸部２１ｂによって軸支された揺動アーム３を上方に突出させるため、左右の揺動アーム３の可動域となる部分がそれぞれ切り欠かれている（切欠部２２ｃ）。そのため、基板２１と蓋材２２とを組み合わせると、基体２の左右の上方にスリット状の開口が形成される。また、切欠部２２ｃの間には、突出片が形成され、その突出片に吊り下げ環６の下部（Ｕ字状の部分６ａ）を上下動自在にガイドする浅い溝が設けられている。
【００２５】
また、蓋材２２には、上記の通り、基板２１の軸部２１ｂの貫通孔に嵌合する嵌合突起２２ｄが設けられている。嵌合突起２２ｄは筒状であり、その中心の貫通孔２２ｅは、基板２１と蓋材２２を固着するリベットを通す穴である。蓋材２２の内面には、嵌合突起２２ｄを囲むように円弧状ないし環状のリブ２２ｆが突設されている。このリブ２２ｆは、後述する揺動アーム３の基部３ａと摺接する部位であり、精度が高い滑らかな摺動面を形成し、スムーズな揺動をもたらす。環状のリブ２２ｆと嵌合突起２２ｄとは十文字状のリブ２２ｌで連結されている。
【００２６】
さらに蓋材２２の幅方向の中央には、前述の一対のゴム状弾性体４、４を支持する２本の支持軸２２ａが突出している。これらの支持軸２２ａは、それぞれ図３ｃに示すようにゴム状弾性体４の貫通孔４ｆに挿入されてゴム状弾性体４を支持するものである。これらの支持軸２２ａと基板２１の嵌合ピン２１ａは、基板２１と蓋材２２の位置決め機能をも奏する。
【００２７】
また、蓋材２２の中央部及び両端部には、図３ａに示すように基板２１と重ね合わせたときに、基板２１のネジ孔２１ｃ、２１ｄと対向する箇所にそれぞれネジ孔２２ｇ、２２ｈが設けられている。なお、中央のネジ孔２２ｇは、吊り下げ環６の取り付けにも使用されることから、その外周には強度を確保するための補強リブ２２ｉが設けられている。この補強リブ２２ｉは上下に長く、この実施形態では下端はゴム状弾性体４、４の上端縁４ａと当接する中間立ち上がり片２２ｊであり、ゴム状弾性体４の位置を定め、上向きの弾性変形を規制する機能を備えている。蓋材２２の左右端のネジ孔２２ｈの外周には、基板２１との間隔を確保するべく、ねじ締め力に対抗できる円筒状の突出部２２ｋが設けられている。突出部２２ｋは立ち上がり２２ｂと一体にされており、基板２１のネジ孔２１ｄの周囲の突出部分と嵌合する穴が形成されている。
【００２８】
揺動アーム３は、図１及び図４ａ、図４ｂに示すように、円板状の基部３ａと、基部３ａから前上方に延出された板状の連結部３ｂと、その上端に左右方向に延びている、取付環５を取り付けるためのパイプ状の取付部３ｃと、基部３ａから下方に突出して、ゴム状弾性体４と当接する板状の当接部３ｄとから構成されている。基部３ａの中心には、揺動アーム３を基板２１の軸部２１ｂに揺動自在に軸支するための軸孔３ｅが設けられている。
【００２９】
揺動アーム３の上端の取付部３ｃには、図４ｂに示すように取付環５の端部を挿入するための取付孔３ｇが設けられている。図１に示すように、この実施形態では取付環５が取付孔３ｇ内で回動しないように、取付環５の端部５ａ、５ａは扁平に潰されており、取付孔３ｇは扁平な矩形状の断面形状を有する。取り付け強度を高めるため、取付孔３ｇの内側に金属製のパイプを埋設してもよい。
【００３０】
ゴム状弾性体（ゴムプレート）４、４は板状であって、図１及び図５ａ〜ｄに示すように、上端縁４ａは直線状で、その内側（中央側）の端部からまっすぐ下方に内端縁４ｂが延びている。他方、上端縁４ａの外側の端部から斜め下方に延びる傾斜部には、揺動アーム３の円盤状の基部３ａの周囲と摺接する凹円弧部４ｃが形成されている。また、下部の外側の端部には、円弧状に膨出する凸円弧部４ｄが形成されており、下端縁４ｅは蓋材２２の下端の立ち上がり２２ｂの内面と当接するように緩い凸湾曲面とされている。そのため、それぞれのゴム状弾性体４は、いわば靴ないし靴下の形状を呈する。そして左右のゴム状弾性体４，４は、全体として、中央に隙間４ｆを有するものの、上部が略台形状で、下部が左右に長い小判型ないし楕円状を呈し、全体として富士山ないし宇宙人の顔の形態となる。さらにそれぞれのゴム状弾性体４，４の中央部には蓋材２２の支持軸２２ａと嵌合する取り付け用の貫通孔４ｇが形成されている。
【００３１】
このゴム状弾性体４は、図３ｃに示すように蓋材２２に対し、上端縁４ａが蓋材２２の中間立ち上がり片２２ｊの下面に当接し、下端縁４ｅが蓋材２２の下端の立ち上がり２２ｂの内面に当接し、貫通孔４ｇが支持軸２２ａの外周に嵌合するように嵌め込まれる。それにより左右のゴム状弾性体４、４は、両者の間に隙間４ｆをあけて配置される。図３ｂのように蓋材２２の内面がいくらか湾曲しているときは、ゴム状弾性体４はその内面に沿って湾曲する（図６ｂ参照）。ついで揺動アーム３が取り付けられた基板２１に蓋材２２が取り付けられる。それにより、図６ａに示すように、ゴム状弾性体４の凸円弧部４ｄが揺動アーム３の当接部３ｄの側面に当接する。このとき凹円弧部４ｃが揺動アーム３の基部３ａの外周と当接し、または隙間を介して対向する。図６ｂに示すように、ゴム状弾性体４の厚さは基体２内の空間Ｓの深さ(前後寸法）よりいくらか薄くしている。そのため、図６ｃに示すように、基板２１の内面とゴム状弾性体４の表面の間に隙間Ｇができる。ゴム状弾性体４の厚さは２〜５ｍｍ程度、隙間Ｇは０．５〜３ｍｍ程度が好ましい。
【００３２】
ゴム状弾性体４の材質としては、例えばシリコーン系ゴム、ウレタン系ゴム、ポリオレフィン系ゴム、エラストマー等の合成ゴムの使用や天然ゴムが可能であるが、耐候性に優れるシリコーン系ゴムを用いることが好ましい。製法としては、例えば上記素材のゴムシートを靴状などの所定の形状に打ち抜いたり、ゴム素材を型に流し込んでベーキングないし加硫したりする。後者の場合は部分的に厚さを変えたり、立体形状にすることもできる。
【００３３】
取付環５は、図１に示すように、金属線を台形状ないし三角形状に折り曲げて成形したものである。線材の両端部５ａ、５ａ間には、取付部３ｂの軸方向長さよりも狭い程度の間隔が設けられている。そしてこれら両端部５ａ、５ａを取付孔３ｅに挿入し、頂角が狭くなるように曲げ変形させることで揺動アーム３に取り付けられる。なお、取付環５は揺動アーム３に対して回転が拘束された状態で取り付けられることが好ましいが、端部５ａ、５ａを回転軸として回転可能に取り付けても良い。
【００３４】
吊り下げ環６は、図１に示すように、金属線を略栓抜き状に折り曲げて成形したものである。この吊り下げ環６は、下方に延びるＵ字状の部分６ａにネジ（ネジ孔２１ｃ、ネジ孔２２ｇを貫通するネジ）が挿通されることで、基体２に対して上下方向にスライド可能に固定される。なお、下降端では、中間立ち上がり片２２ｊによって支持され、下方への過度の移動が規制される。
【００３５】
上記構成の背環１は、図６ａ、図６ｂの状態から揺動アーム３を外側（一対の揺動アーム３、３の上端同士が互いに離間する方向）に揺動させると、図６ｄのように当接部３ｄが内側（当接部３ｃ同士が互いに近接する方向）に揺動し、ゴム状弾性体４、４が内側に向かって押圧される。そしてゴム状弾性体４の端部の凸円弧部４ｃが中央側に押し込まれるようにして変形する。この際、ゴム状弾性体４が板状であり、且つ基体２内の空間Ｓの厚さより薄いため、湾曲ないし屈曲して逃げる。そして基体２の内面に当接したとき、それ以上の変形が抑制される。そのため、図６ｄで示すように、先端が平面視でいくらか波打つように厚さ方向に変形する。
【００３６】
上記のように、本発明の背環１は、一枚のゴム状弾性体４が基体２内に、その内面に沿って配置されるので、体積が大きく、内部に蓄積できる弾性エネルギが大きい。また、圧縮変形を基本としつつ、波打つことによる曲げ変形も同時に生ずるので、適切な反発力が得られる。さらに揺動アーム３の揺動角度が大きくなっても反発力が過度に大きくなることがなく、揺動範囲の全域に亘って安定した反発力を得ることができる。また、左右のゴム状弾性体４、４の間に隙間４ｆが設けられているので、この隙間にも逃げることができる。そのため、加圧力の増大に伴う反発力の増大は、穏やかであり、使用者の使用感が優れている。
【００３７】
揺動アーム３の揺動によって変形させられたゴム状弾性体４の反発力は、当接部３ｄに作用する。従って、揺動アーム３への外向きの負荷を無くせば、揺動アーム３は内側に向かって移動し、基本位置に戻る。この際、ゴム状弾性体４も元の形状に戻る。
【００３８】
このように本発明の背環１は、揺動アーム３の揺動の初期段階から十分な反発力が得られ、さらに揺動の終盤においても反発力の急激な増加が抑えられるため、揺動がスムーズであり使い心地が良い。また、ゴム状弾性体４の輪郭は滑らかな曲線によって構成されており隅角部を有しないため、変形時における応力集中を避けることができ、耐久性に優れる。また、ゴム状弾性体４は自然な形状で装着することができ、板バネのように弾け飛ぶこともないため、組み立てを簡単且つ迅速に行うことができる。
【００３９】
以上に、この発明の代表的な実施形態について説明したが、この発明は上記実施形態に限定されるものではなく、この発明の範囲内で種々変更して実施することが可能である。
【００４０】
例えば、上記実施形態では、左右一対のゴム状弾性体４、４を採用しているが、図７のように、左右が一体となった一枚のゴム状弾性体４を採用することもできる。その場合は取付作業が一層容易になる。また、一枚のゴム状弾性体を２本の支持軸２２ａ（図３ｃ参照）で支持するので、取り付けた姿勢が安定する。また、上記実施形態では片側が靴状で、左右を合わせると富士山状になるゴム状弾性体４を用いていたが、上記の作用効果が得られる範囲で、矩形状や小判型など種々の形状を採用しても良い。また、厚さを部分的に変化させたり立体的な形状にしたりしてもよい。このように形状を変化させることでバネ係数を容易に調整することができる。
【００４１】
さらにゴム状弾性体４は、同一材料または異なる材質のシートを複数枚重ねて用いることもできる。また、いくらか大きめのゴム状弾性体を採用してゴム状弾性体４に予圧を与え、揺動前から揺動アーム３に反発力が付与されている状態としてもよい。また、蓋材２２に立ち上がり２２ｂが設けられているが、基板２１側に立ち上がりを設けるようにしても良い。また、揺動アーム３への背負いベルト１１の連結については、取付環５を介さず、揺動アーム３の上端にベルト連結部を一体的に設けて、直接連結してもよい。
【符号の説明】
【００４２】
１・・ランドセルの背環
２・・基体
２１・・基板
２１ａ・・嵌合ピン
２１ｂ・・軸部
２１ｃ・・ネジ孔（中央）
２１ｄ・・ネジ孔（端部）
２２・・蓋材
２２ａ・・支持軸
２２ｂ・・立ち上がり
２２ｃ・・切欠部
２２ｄ・・嵌合突起
２２ｅ・・貫通孔
２２ｆ・・円弧状のリブ
２２ｇ・・ネジ孔（中央部）
２２ｈ・・ネジ孔（端部上方）
２２ｉ・・補強リブ
２２ｊ・・中間立ち上がり片
２２ｋ・・突出部
２２ｌ・・十文字状のリブ
３・・揺動アーム
３ａ・・基部
３ｂ・・連結部
３ｃ・・取付部
３ｄ・・当接部
３ｅ・・軸孔
３ｇ・・取付孔
４・・ゴム状弾性体
４ａ・・上端縁
４ｂ・・内端縁
４ｃ・・凹円弧部
４ｄ・・凸円弧部
４ｅ・・下端縁
４ｆ・・隙間
４ｇ・・貫通孔
４Ａ・・ゴム状弾性体
５・・取付環
５ａ・・端部
６・・吊り下げ環
６ａ・・Ｕ字部分
７・・カバー
１０・・ランドセル本体
１０ａ・・背当て部
１１・・背負いベルト
Ｓ・・空間
Ｇ・・隙間
Ｃ・・皮革
【図１】
2019005400.tif 000003
【図２】
2019005400.tif 000004
【図３】
2019005400.tif 000005
【図４】
2019005400.tif 000006
【図５】
2019005400.tif 000007
【図６】
2019005400.tif 000008
【図７】
2019005400.tif 000009
【図８】
2019005400.tif 000010